(57)【要約】【課題】縦向きに配置した場合および横向きに配置した場合の両方の場合に、観察者に立体画像を提供することが可能な画像表示装置を提供する。【解決手段】この画像表示装置１は、位相差板６と偏光制御液晶パネル７とを設けるとともに、表示パネル３が縦向きに配置された状態で、位相差板６の偏光制御領域６ｂを透過した光により、左目用画像Ｌ１および右目用画像Ｒ１をそれぞれ観察者２０の左目２０ａおよび右目２０ｂに入射することにより観察者２０に立体画像を提供し、かつ、表示パネル３が横向きに配置された状態で、偏光制御液晶パネル７の偏光制御領域７ｂを透過した光により、左目用画像Ｌ２および右目用画像Ｒ２をそれぞれ観察者２０の左目２０ａおよび右目２０ｂに入射することにより観察者２０に立体画像を提供する。【選択図】図３
2006337496.tif 000002
【特許請求の範囲】
【請求項１】
画像を表示するための表示パネルと、
前記表示パネルに光を照射するための光源と、
少なくとも第１の方向に前記表示パネルが配置された状態で、前記光源から照射された光を第１の偏光軸を有する光と、第２の偏光軸を有する光とに分離するための第１偏光軸制御手段と、
前記表示パネルが前記第１の方向と交差する第２の方向に配置された状態で、前記光源から照射された光を少なくとも２つの異なる偏光軸を有する光に分離するための第２偏光軸制御手段とを備え、
前記表示パネルが前記第１の方向に配置された状態で、前記第１の偏光軸を有する光および前記第２の偏光軸を有する光の一方を観察者の目に向かって進行させることにより、前記観察者に立体画像を提供するとともに、
前記表示パネルが前記第２の方向に配置された状態で、前記少なくとも２つの異なる偏光軸を有する光のうちの少なくとも１つの偏光軸を有する光を前記観察者の目に進行させることにより、前記観察者に立体画像を提供する、画像表示装置。
【請求項２】
前記第２偏光軸制御手段は、偏光制御液晶パネルを含む、請求項１に記載の画像表示装置。
【請求項３】
前記第１偏光軸制御手段は、位相差板を含む、請求項１または２に記載の画像表示装置。
【請求項４】
前記第１偏光軸制御手段は、前記光源から照射された光を前記第１の偏光軸を有する光に制御するための複数の第１偏光制御領域と、前記光源から照射された光を前記第２の偏光軸を有する光に制御するための複数の第２偏光制御領域とを含み、
前記複数の第１偏光制御領域および前記複数の第２偏光制御領域は、前記表示パネルが第１の方向に配置された状態で、前記第１の方向および前記第２の方向の両方に対して交差する方向に沿って配置されている、請求項１〜３のいずれか１項に記載の画像表示装置。
【請求項５】
前記表示パネルは、カラー表示するための複数のドット領域を含み、
前記第１偏光軸制御手段の前記第１偏光制御領域および前記第２偏光制御領域は、それぞれ、前記表示パネルの各々の前記ドット領域毎に配置されている、請求項４に記載の画像表示装置。
【請求項６】
前記表示パネルが前記第１の方向に配置された状態で、前記第１の偏光軸を有する光および前記第２の偏光軸を有する光の一方により、左目用画像を前記観察者の左目に向かって進行させるとともに、右目用画像を前記観察者の右目に向かって進行させることによって、前記観察者に立体画像を提供し、
前記表示パネルが前記第１の方向と交差する前記第２の方向に配置された状態で、前記少なくとも２つの異なる偏光軸を有する光のうちの少なくとも１つの偏光軸を有する光により、前記左目用画像を前記観察者の左目に向かって進行させるとともに、前記右目用画像を前記観察者の右目に向かって進行させることによって、前記観察者に立体画像を提供する、請求項１〜５のいずれか１項に記載の画像表示装置。
【請求項７】
前記第２偏光軸制御手段は、前記表示パネルが前記第１の方向と交差する前記第２の方向に配置された状態で、前記第１の偏光軸を有する光を、第３の偏光軸を有する光と第４の偏光軸を有する光とに分離するとともに、前記第２の偏光軸を有する光を、第５の偏光軸を有する光と第６の偏光軸を有する光とに分離し、
前記表示パネルが前記第１の方向と交差する前記第２の方向に配置された状態で、前記第４の偏光軸を有する光と前記第６の偏光軸を有する光とにより、前記左目用画像を前記観察者の左目に向かって進行させるとともに、前記右目用画像を前記観察者の右目に向かって進行させることによって、前記観察者に立体画像を提供する、請求項１〜６のいずれか１項に記載の画像表示装置。
【請求項８】
前記第２偏光軸制御手段は、前記第１の偏光軸を有する光を、第３の偏光軸を有する光と第４の偏光軸を有する光とに分離するための複数の第３偏光制御領域と、前記第２の偏光軸を有する光を、第５の偏光軸を有する光と第６の偏光軸を有する光とに分離するための複数の第４偏光制御領域とを含み、
前記第３偏光制御領域および前記第４偏光制御領域は、前記表示パネルが前記第２の方向に配置された状態で、前記観察者の左右の目を結んだ方向に対して実質的に垂直方向に延びるとともに、前記観察者の左右の目を結んだ方向に沿った方向に交互に配置されている、請求項１〜７のいずれか１項に記載の画像表示装置。
【請求項９】
前記表示パネルは、光の３原色をそれぞれ表示するための３つのドット領域を含み、
前記第２偏光軸制御手段の前記第３偏光制御領域および前記第４偏光制御領域の前記観察者の左右の目を結んだ方向に沿った方向の長さは、前記ドット領域の前記観察者の左右の目を結んだ方向に沿った方向の長さに実質的に対応するように設定されており、
前記表示パネルの光の３原色をそれぞれ表示するための３つのドット領域は、前記表示パネルが第２の方向に配置された状態で、前記観察者の左右の目を結んだ方向に対して実質的に垂直方向に隣接するように配置される、請求項８に記載の画像表示装置。
【請求項１０】
前記第２偏光軸制御手段は、前記第３偏光制御領域および前記第４偏光制御領域を有する偏光制御液晶パネルをさらに含み、
前記偏光制御液晶パネルの前記第３偏光制御領域および前記第４偏光制御領域には、それぞれ、液晶に電圧を印加するための電極が前記第３偏光制御領域および前記第４偏光制御領域と同じ方向に延びるように形成されている、請求項８または９に記載の画像表示装置。
【請求項１１】
前記表示パネルが前記第１の方向に配置された状態で、前記第２偏光軸制御手段は、前記第１の偏光軸を有する光および前記第２の偏光軸を有する光に対して、偏光軸を制御していずれか一方の光を透過する第１の状態と偏光軸を制御せずに両方の光を透過する第２の状態とを切り換え可能であり、
前記表示パネルが前記第１の方向に配置された状態で、前記第２偏光軸制御手段が前記第１の偏光軸を有する光および前記第２の偏光軸を有する光に対して、偏光軸を制御していずれか一方の光を透過する前記第１の状態で、前記観察者に立体画像を提供するとともに、
前記表示パネルが前記第１の方向に配置された状態で、前記第２偏光軸制御手段が前記第１の偏光軸を有する光および前記第２の偏光軸を有する光に対して、偏光軸を制御せずに両方の光を透過する前記第２の状態で、前記第１の偏光軸を有する光および前記第２の偏光軸を有する光の両方を前記観察者の目に向かって進行させることによって、前記観察者に平面画像を提供する、請求項１〜１０のいずれか１項に記載の画像表示装置。
【請求項１２】
前記表示パネルが前記第２の方向に配置された状態で、前記第２偏光軸制御手段は、前記第１の偏光軸を有する光を、第３の偏光軸を有する光と第４の偏光軸を有する光とに分離するとともに、前記第２の偏光軸を有する光を、第５の偏光軸を有する光と第６の偏光軸を有する光とに分離し、かつ、少なくとも前記第４の偏光軸を有する光と前記第６の偏光軸を有する光とを透過する第３の状態と、前記第１の偏光軸を有する光および前記第２の偏光軸を有する光に対して、偏光軸を制御せずに両方の光を透過する第４の状態とを切り換え可能であり、
前記表示パネルが前記第２の方向に配置された状態で、かつ、前記第４の偏光軸を有する光と前記第６の偏光軸を有する光との少なくとも一方を透過する前記第３の状態で、前記第４の偏光軸を有する光と前記第６の偏光軸を有する光とにより、前記観察者に立体画像を提供するとともに、
前記表示パネルが前記第２の方向に配置された状態で、かつ、前記第２偏光軸制御手段が前記第１の偏光軸を有する光および前記第２の偏光軸を有する光に対して、偏光軸を制御せずに両方の光を透過する前記第４の状態で、前記第１の偏光軸を有する光および前記第２の偏光軸を有する光の両方を前記観察者の目に向かって進行させることによって、前記観察者に平面画像を提供する、請求項１〜１１のいずれか１項に記載の画像表示装置。
【発明の詳細な説明】
【技術分野】
【０００１】
この発明は、画像表示装置に関し、特に、立体画像を表示することが可能な画像表示装置に関する。
【背景技術】
【０００２】
従来、３次元の立体画像を表示することが可能な３次元画像表示装置が知られている（たとえば、特許文献１参照）。
【０００３】
上記特許文献１には、画像表示面の観察者側に配置された電子式パララックスバリアを、マイクロコンピュータなどの制御手段により制御することによって、電子式パララックスバリアの所定の位置に、所定の形状の開口部および遮光部を観察者の左目および右目を結んだ線分に対して実質的に垂直方向にストライプ状に形成することが可能な３次元画像表示装置が開示されている。この特許文献１に開示された３次元画像表示装置では、観察者に３次元画像を提供する場合には、観察者の左目に左眼用の画像が入射するとともに、観察者の右目に右目用画像が入射するように、電子式パララックスバリアの開口部が形成される。
【０００４】
また、従来、表示パネルの観察者側にスリット状の開口部および遮光部が設けられたバリアを配置することによって、観察者に立体画像を提示可能な立体画像表示装置が提案されている。図１６は、従来の一例による立体画像表示装置の原理を説明するための平面図である。図１６を参照して、従来の立体画像表示装置５００の構成について説明する。
【０００５】
従来の立体画像表示装置５００は、図１６に示すように、画像を表示するための表示パネル５０１と、表示パネル５０１の観察者５１０側に配置された偏光板５０２と、偏光板５０２の観察者５１０側に設けられたバリア５０３とを備えている。
【０００６】
また、表示パネル５０１は、ガラス基板５０１ａを有している。また、表示パネル５０１には、観察者５１０の左目５１０ａと右目５１０ｂとを結んだ線分に対して実質的に直交する方向（図１６の紙面に対して垂直方向）に延びる画素列５０１ｂおよび画素列５０１ｃが交互に設けられている。この画素列５０１ｂには、観察者５１０の左目５１０ａが見るための画像Ｌ１０が表示されているとともに、画素列５０１ｃには、観察者５１０の右目５１０ｂが見るための画像Ｒ１０が表示されている。
【０００７】
また、バリア５０３には、表示パネル５０１から出射された光を遮光するための遮光部５０３ａと、表示パネル５０１から出射された光を透過させるための開口部５０３ｂとが設けられている。この遮光部５０３ａおよび開口部５０３ｂは、表示パネル５０１の画素列５０１ｂおよび５０１ｃと同様に、観察者５１０の左目５１０ａおよび右目５１０ｂを結んだ線分に対して実質的に直交する方向（図１６の紙面に対して垂直な方向）に延びるように交互に設けられている。また、遮光部５０３ａおよび開口部５０３ｂは、表示パネル５０１の画素列５０１ｂおよび５０１ｃからなる組毎に対応して設けられている。
【０００８】
次に、図１６を参照して、従来の立体画像表示装置５００による立体画像表示方法について説明する。
【０００９】
従来の立体画像表示装置５００では、観察者５１０がバリア５０３の開口部５０３ｂを介して表示パネル５０１を観察する場合、観察者５１０の左目５１０ａには、表示パネル５０１の画素列５０１ｂに表示されている画像Ｌ１０が入射されるとともに、観察者５１０の右目５１０ｂには、表示パネル５０１の画素列５０１ｃに表示されている画像Ｒ１０が入射される。これにより、観察者５１０が、立体画像を観察することが可能となる。
【００１０】
【特許文献１】特許２８５７４２９号公報
【発明の開示】
【発明が解決しようとする課題】
【００１１】
しかしながら、図１６に示した従来の立体画像表示装置５００では、立体画像表示装置５００を、たとえば、縦向きに配置した場合にのみ観察者５１０に立体画像を提供するように対応させており、立体画像表示装置５００を、たとえば、横向きに配置した場合には、観察者５１０に立体画像を提供することが困難であるという問題点があった。また、上記特許文献１についても、図１６に示した従来の立体画像表示装置５００と同様な問題点がある。
【００１２】
この発明は、上記のような課題を解決するためになされたものであり、この発明の１つの目的は、縦向きに配置した場合および横向きに配置した場合の両方の場合に、観察者に立体画像を提供することが可能な画像表示装置を提供することである。
【課題を解決するための手段および発明の効果】
【００１３】
上記目的を達成するために、この発明の一の局面による画像表示装置は、画像を表示するための表示パネルと、表示パネルに光を照射するための光源と、少なくとも第１の方向に表示パネルが配置された状態で、光源から照射された光を第１の偏光軸を有する光と、第２の偏光軸を有する光とに分離するための第１偏光軸制御手段と、表示パネルが第２の方向に配置された状態で、光源から照射された光を少なくとも２つの異なる偏光軸を有する光に分離するための第２偏光軸制御手段とを備え、表示パネルが第１の方向に配置された状態で、第１の偏光軸を有する光および第２の偏光軸を有する光の一方を観察者の目に向かって進行させることにより、観察者に立体画像を提供するとともに、表示パネルが第１の方向と交差する第２の方向に配置された状態で、少なくとも２つの異なる偏光軸を有する光のうちの少なくとも１つの偏光軸を有する光を観察者の目に進行させることにより、観察者に立体画像を提供する。
【００１４】
この一の局面による画像表示装置では、上記のように、第１偏光軸制御手段と第２偏光軸制御手段とを設けるとともに、表示パネルが第１の方向に配置された状態で、光源から照射されて第１偏光軸制御手段により分離された第１の偏光軸を有する光および第２の偏光軸を有する光の一方を観察者の目に向かって進行させることにより、観察者に立体画像を提供し、かつ、表示パネルが第１の方向と交差する第２の方向に配置された状態で、光源から照射されて第２偏光軸制御手段により分離された少なくとも２つの異なる偏光軸を有する光のうちの少なくとも１つの偏光軸を有する光を観察者の目に向かって進行させることにより、観察者に立体画像を提供することによって、表示パネルを第１の方向（縦向き）に配置した場合および第２の方向（横向き）に配置した場合の両方の場合に、観察者に立体画像を提供することができる。
【００１５】
上記一の局面による画像表示装置において、好ましくは、第２偏光軸制御手段は、偏光制御液晶パネルを含む。このように偏光制御液晶パネルを用いれば、容易に、光源から照射された光を少なくとも２つの異なる偏光軸を有する光に分離することができる。
【００１６】
上記一の局面による画像表示装置において、好ましくは、第１偏光軸制御手段は、位相差板を含む。このように位相差板を用いれば、容易に、光源から照射された光を第１の偏光軸を有する光と第２の偏光軸を有する光とに分離することができる。
【００１７】
上記一の局面による画像表示装置において、好ましくは、第１偏光軸制御手段は、光源から照射された光を第１の偏光軸を有する光に制御するための複数の第１偏光制御領域と、光源から照射された光を第２の偏光軸を有する光に制御するための複数の第２偏光制御領域とを含み、複数の第１偏光制御領域および複数の第２偏光制御領域は、表示パネルが第１の方向に配置された状態で、第１の方向および第２の方向の両方に対して交差する方向に沿って配置されている。このように構成すれば、第１の方向および第２の方向の両方に対して交差する方向（斜め方向）に沿って配置された複数の第１偏光制御領域および複数の第２偏光制御領域により、第１の偏光軸を有する光および第２の偏光軸を有する光の一方を、縦方向および横方向にほぼ均等に分散した状態で観察者の目に向かって進行させることができるので、表示パネルの画像の解像度の低下を縦方向と横方向とに分散することができる。これにより、画像劣化の少ない立体画像を観察者に提供することができる。
【００１８】
上記第１偏光軸制御手段が第１偏光制御領域および第２偏光制御領域を含む画像表示装置において、好ましくは、表示パネルは、カラー表示するための複数のドット領域を含み、第１偏光軸制御手段の第１偏光制御領域および第２偏光制御領域は、それぞれ、表示パネルの各々のドット領域毎に配置されている。このように構成すれば、ドット領域毎に設けられた第１偏光制御領域および第２偏光制御領域により、表示パネルの画像を細分化した状態で観察者の目に入射させることができる。これにより、より画像劣化の少ない立体画像を観察者に提供することができる。
【００１９】
上記一の局面による画像表示装置において、好ましくは、表示パネルが第１の方向に配置された状態で、第１の偏光軸を有する光および第２の偏光軸を有する光の一方により、左目用画像を観察者の左目に向かって進行させるとともに、右目用画像を観察者の右目に向かって進行させることによって、観察者に立体画像を提供し、表示パネルが第１の方向と交差する第２の方向に配置された状態で、少なくとも２つの異なる偏光軸を有する光のうちの少なくとも１つの偏光軸を有する光により、左目用画像を観察者の左目に向かって進行させるとともに、右目用画像を観察者の右目に向かって進行させることによって、観察者に立体画像を提供する。このように構成すれば、表示パネルを第１の方向（縦向き）に配置した場合および第２の方向（横向き）に配置した場合の両方の場合に、容易に、観察者に立体画像を提供することができる。
【００２０】
上記一の局面による画像表示装置において、好ましくは、第２偏光軸制御手段は、表示パネルが第１の方向と交差する第２の方向に配置された状態で、第１の偏光軸を有する光を、第３の偏光軸を有する光と第４の偏光軸を有する光とに分離するとともに、第２の偏光軸を有する光を、第５の偏光軸を有する光と第６の偏光軸を有する光とに分離し、表示パネルが第１の方向と交差する第２の方向に配置された状態で、第４の偏光軸を有する光と第６の偏光軸を有する光とにより、左目用画像を観察者の左目に向かって進行させるとともに、右目用画像を観察者の右目に向かって進行させることによって、観察者に立体画像を提供する。このように構成すれば、表示パネルが第１の方向と交差する第２の方向に配置された状態で、第２偏光軸制御手段により分離された第４の偏光軸を有する光と第６の偏光軸を有する光とにより、容易に、左目用画像を観察者の左目に向かって進行させるとともに、右目用画像を観察者の右目に向かって進行させることができるので、容易に、観察者に立体画像を提供することができる。
【００２１】
上記一の局面による画像表示装置において、好ましくは、第２偏光軸制御手段は、第１の偏光軸を有する光を、第３の偏光軸を有する光と第４の偏光軸を有する光とに分離するための複数の第３偏光制御領域と、第２の偏光軸を有する光を、第５の偏光軸を有する光と第６の偏光軸を有する光とに分離するための複数の第４偏光制御領域とを含み、第３偏光制御領域および第４偏光制御領域は、表示パネルが第２の方向に配置された状態で、観察者の左右の目を結んだ方向に対して実質的に垂直方向に延びるとともに、観察者の左右の目を結んだ方向に沿った方向に交互に配置されている。このように構成すれば、第１の偏光軸を有する光を、第３の偏光軸を有する光と第４の偏光軸を有する光とに、容易に、分離することができるとともに、第２の偏光軸を有する光を、第５の偏光軸を有する光と第６の偏光軸を有する光とに、容易に、分離することができるので、表示パネルが第２の方向に配置された状態で、第２偏光軸制御手段により分離された第４の偏光軸を有する光と第６の偏光軸を有する光とにより、容易に、左目用画像を観察者の左目に向かって進行させるとともに、右目用画像を観察者の右目に向かって進行させることができる。これにより、容易に、観察者に立体画像を提供することができる。
【００２２】
上記第２偏光軸制御手段が第３偏光制御領域および第４偏光制御領域を含む画像表示装置において、好ましくは、表示パネルは、光の３原色をそれぞれ表示するための３つのドット領域を含み、第２偏光軸制御手段の第３偏光制御領域および第４偏光制御領域の観察者の左右の目を結んだ方向に沿った方向の長さは、ドット領域の観察者の左右の目を結んだ方向に沿った方向の長さに実質的に対応するように設定されており、表示パネルの光の３原色をそれぞれ表示するための３つのドット領域は、表示パネルが第２の方向に配置された状態で、観察者の左右の目を結んだ方向に対して実質的に垂直方向に隣接するように配置される。このように構成すれば、観察者の左右の目を結んだ方向に対して実質的に垂直に延びるように設けられた第３偏光制御領域および第４偏光制御領域に、それぞれ、光の３原色に対応する３つのドット領域を配置することができるので、観察者に画像劣化の少ない立体画像を提供することができる。
【００２３】
上記第２偏光軸制御手段が第３偏光制御領域および第４偏光制御領域を含む画像表示装置において、好ましくは、第２偏光軸制御手段は、第３偏光制御領域および第４偏光制御領域を有する偏光制御液晶パネルをさらに含み、偏光制御液晶パネルの第３偏光制御領域および第４偏光制御領域には、それぞれ、液晶に電圧を印加するための電極が第３偏光制御領域および第４偏光制御領域と同じ方向に延びるように形成されている。このように構成すれば、偏光制御液晶パネルの電極を用いて、第３偏光制御領域および第４偏光制御領域の液晶に電圧を印加することができるので、液晶の電圧の印加状態を制御することによって、第３偏光制御領域および第４偏光制御領域の偏光制御状態を容易に変化させることができる。
【００２４】
上記一の局面による画像表示装置において、好ましくは、表示パネルが第１の方向に配置された状態で、第２偏光軸制御手段は、第１の偏光軸を有する光および第２の偏光軸を有する光に対して、偏光軸を制御していずれか一方の光を透過する第１の状態と偏光軸を制御せずに両方の光を透過する第２の状態とを切り換え可能であり、表示パネルが第１の方向に配置された状態で、第２偏光軸制御手段が第１の偏光軸を有する光および第２の偏光軸を有する光に対して、偏光軸を制御していずれか一方の光を透過する第１の状態で、観察者に立体画像を提供するとともに、表示パネルが第１の方向に配置された状態で、第２偏光軸制御手段が第１の偏光軸を有する光および第２の偏光軸を有する光に対して、偏光軸を制御せずに両方の光を透過する第２の状態で、第１の偏光軸を有する光および第２の偏光軸を有する光の両方を観察者の目に向かって進行させることによって、観察者に平面画像を提供する。このように構成すれば、第２偏光軸制御手段を、第１の偏光軸を有する光および第２の偏光軸を有する光を偏光軸を制御していずれか一方の光を透過することにより観察者に立体画像を提供する場合と、第１の偏光軸を有する光および第２の偏光軸を有する光を偏光軸を制御せずに両方の光を透過することにより観察者に平面画像を提供する場合とに切り換えることにより、１つの画像表示装置で、観察者に立体画像および平面画像の両方を提供することができる。
【００２５】
上記一の局面による画像表示装置において、好ましくは、表示パネルが第２の方向に配置された状態で、第２偏光軸制御手段は、第１の偏光軸を有する光を、第３の偏光軸を有する光と第４の偏光軸を有する光とに分離するとともに、第２の偏光軸を有する光を、第５の偏光軸を有する光と第６の偏光軸を有する光とに分離し、かつ、少なくとも第４の偏光軸を有する光と第６の偏光軸を有する光とを透過する第３の状態と、第１の偏光軸を有する光および第２の偏光軸を有する光に対して、偏光軸を制御せずに両方の光を透過する第４の状態とを切り換え可能であり、表示パネルが第２の方向に配置された状態で、かつ、第４の偏光軸を有する光と第６の偏光軸を有する光との少なくとも一方を透過する第３の状態で、第４の偏光軸を有する光と第６の偏光軸を有する光とにより、観察者に立体画像を提供するとともに、表示パネルが第２の方向に配置された状態で、かつ、第２偏光軸制御手段が第１の偏光軸を有する光および第２の偏光軸を有する光に対して、偏光軸を制御せずに両方の光を透過する第４の状態で、第１の偏光軸を有する光および第２の偏光軸を有する光の両方を観察者の目に向かって進行させることによって、観察者に平面画像を提供する。このように構成すれば、第２偏光軸制御手段を、第４の偏光軸を有する光と第６の偏光軸を有する光とにより観察者に立体画像を提供する場合と、第１の偏光軸を有する光および第２の偏光軸を有する光を偏光軸を制御せずに両方の光を透過することにより観察者に平面画像を提供する場合とに切り換えることにより、１つの画像表示装置で、観察者に立体画像および平面画像の両方を提供することができる。
【発明を実施するための最良の形態】
【００２６】
以下、本発明を具体化した実施形態を図面に基づいて説明する。
【００２７】
図１は、本発明の一実施形態による画像表示装置を示した分解斜視図である。図２は、図１に示した本発明の一実施形態による表示パネルを縦向き（図１の状態）に配置した場合の表示パネル、位相差板および偏光制御液晶パネルを示した図である。図３は、図１に示した本発明の一実施形態による表示パネルを縦向き（図１の状態）に配置した場合の立体画像表示時において観察者が表示パネルを見た状態を上方から示した図である。図４は、図１に示した本発明の一実施形態による表示パネルを横向き（図１を９０°回転させた状態）に配置した場合の表示パネル、位相差板および偏光制御液晶パネルを示した図である。図５および図６は、図１に示した本発明の一実施形態による表示パネルを横向き（図１を９０°回転させた状態）に配置した場合の立体画像表示時において、観察者が表示パネルを見た状態を、それぞれ、図４の１００−１００線および２００−２００線に沿って上方から示した図である。図７〜図１０は、図１に示した本発明の一実施形態による画像表示装置の構成を詳細に説明するための図である。まず、図１〜図１０を参照して、本発明の一実施形態による画像表示装置１の構成について説明する。
【００２８】
本発明の一実施形態による画像表示装置１は、図１に示すように、バックライト２と、バックライト２の光出射側に配置され、画像を表示する液晶表示パネルからなる表示パネル３と、表示パネル３を挟み込むように配置される偏光板４および５と、偏光板５の光出射側に配置される位相差板６と、位相差板６の光出射側に配置される偏光制御液晶パネル７と、偏光制御液晶パネル７の光出射側に配置される偏光板８とを備えている。なお、バックライト２は、本発明の「光源」の一例であり、位相差板６は、本発明の「第１偏光軸制御手段」の一例である。また、偏光制御液晶パネル７および偏光板８は、本発明の「第２偏光軸制御手段」の一例である。
【００２９】
バックライト２は、偏光板４に光を照射する機能を有する。また、偏光板４は観察者２０側から見て約１３５°の偏光軸を有するように設定されているので、観察者２０側から見て約１３５°の偏光軸を有する光のみを透過する機能を有する。以下、特に記載のない限り、偏光軸の角度は、観察者２０側から見た角度を示す。なお、本実施形態では、偏光軸の角度は、表示パネル３を縦向きに配置した状態における角度を示す。
【００３０】
また、表示パネル３は、たとえば、ＯＦＦ状態で、入射した光の偏光軸を約９０°変化させた状態で出射させ、ＯＮ状態で、入射した光の偏光軸をほぼ変化させないで出射させるＴＮ（Ｔｗｉｓｔｅｄ  Ｎｅｍａｔｉｃ）液晶パネルからなる。この表示パネル３は、図７に示すように、赤色（Ｒ）、緑色（Ｇ）および青色（Ｂ）の光の３原色をそれぞれ表示するための３つのドット領域３ａ〜３ｃからなる複数の画素領域３ｄと、光の３原色をそれぞれ表示するための３つのドット領域３ｅ〜３ｇからなる複数の画素領域３ｈとを有している。このドット領域３ａ〜３ｃおよび３ｅ〜３ｇは、それぞれ、縦横比が約１：３になるような長方形形状を有する。
【００３１】
ここで、本実施形態では、表示パネル３を縦向きに配置した場合（図２および図３の場合）には、ドット領域３ａ〜３ｃおよび３ｅ〜３ｇに表示される左目用画像Ｌ１および右目用画像Ｒ１は、図７のＡ方向およびＢ方向の両方に対して交差する斜め方向であるＣ方向に沿った市松状（階段状）に配置されている。具体的には、図７に示した各ドット領域３ａ〜３ｃおよび３ｅ〜３ｇにおいて、左目用画像Ｌ１の表示領域は、ハッチング（斜線）領域で示されており、右目用画像Ｒ１の表示領域は、ハッチング（斜線）が施されていない非ハッチング領域で示されている。図７に示すように、ハッチング領域に位置する左目用画像Ｌ１は、斜め方向（図７のＣ方向）にＲＧＢのドット領域３ａ〜３ｃおよび３ｅ〜３ｇが連続するように表示される。また、非ハッチング領域に位置する右目用画像Ｒ１も、斜め方向（図７のＣ方向）にＲＧＢのドット領域が連続するように表示される。そして、左目用画像Ｌ１と右目用画像Ｒ１とは、ＲＧＢのドット領域が連続するように延びる斜め方向（図７のＣ方向）に交差する方向に交互に表示される。
【００３２】
また、本実施形態では、表示パネル３を横向きに配置した場合には、図８に示すように、光の３原色（ＲＧＢ）に対応するドット領域３ａ〜３ｃおよび３ｅ〜３ｇは、それぞれ、観察者２０（図５参照）の左目２０ａと右目２０ｂとを結んだ線分に対して実質的に垂直方向（縦方向）（Ａ方向）に延びるように配置される。図８に示した横向き配置の場合には、ハッチング（斜線）領域で示される左目用画像Ｌ２、および、非ハッチング領域で示される右目用画像Ｒ２は、それぞれ、縦方向（Ａ方向）にＲＧＢのドット領域３ａ〜３ｃおよび３ｅ〜３ｇが連続して延びるように表示される。そして、図８に示した横向き配置の場合には、縦方向（Ａ方向）に延びる左目用画像Ｌ２と右目用画像Ｒ２とは、横方向（Ｂ方向）に交互に表示される。
【００３３】
偏光板５は、図１に示すように、約４５°の偏光軸を有するように設定されているので、約４５°の偏光軸を有する光のみを透過する機能を有する。また、位相差板６は、図９に示すように、複数の偏光制御領域６ａおよび６ｂを含んでいる。なお、偏光制御領域６ａは、本発明の「第１偏光制御領域」の一例であり、偏光制御領域６ｂは、本発明の「第２偏光制御領域」の一例である。また、偏光制御領域６ａは、図３に示すように、表示パネル３が縦向きに配置された場合（図２および図３の場合）に、表示パネル３の左目用画像Ｌ１が表示される領域と観察者２０の右目２０ｂとを結んだ線上に配置されるとともに、表示パネル３の右目用画像Ｒ１が表示される領域と観察者２０の左目２０ａとを結んだ線上に配置される。以下、特に記載のない限り、左目２０ａおよび右目２０ｂは、観察者２０の左目２０ａおよび右目２０ｂを示す。また、偏光制御領域６ｂは、表示パネル３の左目用画像Ｌ１が表示される領域と左目２０ａとを結んだ線上に配置されるとともに、表示パネル３の右目用画像Ｒ１が表示される領域と右目２０ｂとを結んだ線上に配置される。また、図９に示すように、位相差板６の偏光制御領域６ａおよび６ｂは、図７に示した縦向きに配置した状態の表示パネル３のドット領域３ａ〜３ｃおよび３ｅ〜３ｇに対応する実質的に長方形の形状を有する。また、表示パネル３（図７参照）を縦向きに配置した場合には、表示パネル３のドット領域３ａ〜３ｃおよび３ｅ〜３ｇと同様、位相差板６の偏光制御領域６ａおよび６ｂの長手方向が左目２０ａと右目２０ｂ（図３参照）とを結んだ線分に対して実質的に垂直方向（Ｂ方向）に配置される。また、位相差板６の偏光制御領域６ａおよび６ｂは、透過する光の偏光軸を位相差板６の偏光軸に対して線対称の偏光軸に変化させる機能を有する。具体的には、位相差板６は、入射した光にλ／２の位相差を付与する機能を有するので、位相差板６の偏光軸に対して、たとえば、角度αの偏光軸を有する光は、位相差板６の偏光軸により、角度−αの偏光軸を有する光に変化されて出射される。なお、本実施形態では、後述するように、偏光制御液晶パネル７も同様の機能を有している。
【００３４】
また、本実施形態では、位相差板６の偏光制御領域６ａおよび６ｂは、図７および図９に示すように、表示パネル３の左目用画像Ｌ１および右目用画像Ｒ１の表示領域に対応するように、図７のＡ方向およびＢ方向の両方に対して交差する斜め方向であるＣ方向に沿った市松状（階段状）に配置されている。また、図９に示すように、偏光制御領域６ａは、観察者２０（図３参照）側から見て約７５°の偏光軸を有しており、偏光制御領域６ｂは、約１５°の偏光軸を有している。
【００３５】
偏光制御液晶パネル７は、図１０に示すように、偏光制御領域７ａおよび７ｂを有している。なお、偏光制御領域７ａは、本発明の「第３偏光制御領域」の一例であり、偏光制御領域７ｂは、本発明の「第４偏光制御領域」の一例である。また、偏光制御領域７ａおよび７ｂは、表示パネル３（図１参照）を横向きに配置した場合（図４〜図６の場合）には、左目２０ａと右目２０ｂとを結んだ線分に対して実質的に垂直方向（Ａ方向）（図１０参照）に延びるように配置されている。また、偏光制御領域７ａおよび７ｂには、それぞれ、Ａ方向に延びる電極７ｃが設けられている。これにより、偏光制御液晶パネル７の偏光制御領域７ａおよび７ｂに位置する液晶に電極７ｃを用いて電圧を印加することが可能となるので、液晶への電圧の印加状態を制御することによって、偏光制御領域７ａおよび７ｂの偏光制御状態を容易に変化させることが可能となる。また、偏光制御領域７ａおよび７ｂは、約１２０°の偏光軸を有している。また、偏光制御液晶パネル７の偏光制御領域７ａおよび７ｂは、電圧印加状態（ＯＮ状態）にすることにより約１２０°の偏光軸を無効にして所定の偏光軸を有する光を偏光軸を変化させないで透過する機能を有する。また、偏光制御領域７ａおよび７ｂは、電圧非印加状態（ＯＦＦ状態）にすることにより約１２０°の偏光軸を有効にしてその偏光軸に対して線対称に光の偏光軸を変化させる機能を有する。なお、立体画像表示時において、表示パネル３（図１参照）を縦向きに配置した場合（図２および図３の場合）には、偏光制御領域７ａおよび７ｂは、電圧非印加状態（ＯＦＦ状態）になる。また、表示パネル３（図１参照）を横向きに配置した場合（図４〜図６の場合）には、偏光制御領域７ａは、電圧非印加状態（ＯＦＦ状態）になるとともに、偏光制御領域７ｂは、電圧印加状態（ＯＮ状態）になる。
【００３６】
また、偏光制御液晶パネル７（図１０参照）の偏光制御領域７ａおよび７ｂの表示パネル３（図５および図６参照）を横向きに配置した場合の左目２０ａと右目２０ｂとを結んだ線分に沿った方向（Ｂ方向）の長さは、ドット領域３ａ〜３ｃおよび３ｅ〜３ｇの左目２０ａと右目２０ｂとを結んだ線分に沿った方向（Ｂ方向）の長さに実質的に対応するように設けられている。
【００３７】
また、表示パネル３（図１参照）が横向きに配置された場合（図４〜図６の場合）には、偏光制御液晶パネル７の偏光制御領域７ａは、図５および図６に示すように、左目用画像Ｌ２が表示される領域（ハッチング領域）と右目２０ｂとを結んだ線上に配置されるとともに、右目用画像Ｒ２が表示される領域（非ハッチング領域）と左目２０ａとを結んだ線上に配置される。また、偏光制御液晶パネル７の偏光制御領域７ｂは、左目用画像Ｌ２が表示される領域（ハッチング領域）と左目２０ａとを結んだ線上に配置されるとともに、右目用画像Ｒ２が表示される領域（非ハッチング領域）と右目２０ｂとを結んだ線上に配置される。
【００３８】
また、偏光制御液晶パネル７は、図３および図５に示すように、表示パネル３の厚み方向の中央部から位相差板６の観察者２０側の表面までの距離（Ｗ１）と、表示パネル３の厚み方向の中央部から偏光制御液晶パネル７の観察者２０側の表面までの距離（Ｗ２）とが、ドット領域３ａ〜３ｃおよび３ｅ〜３ｇの縦横比（約１：３）と同じ約１：３の比率になるように配置されている。このように構成すれば、表示パネル３を縦向きおよび横向きに配置した場合の表示パネル３から観察者２０までの距離をほぼ等しくすることが可能である。
【００３９】
偏光板８は、図１に示すように、約４５°の偏光軸を有するように設定されている。なお、偏光板８は、入射する光を、約４５°の偏光軸を有する光に変化させて透過する機能を有する。
【００４０】
（縦向き配置時の立体画像表示モード）
図１１は、図１に示した本発明の一実施形態による表示パネルの縦向き配置時における立体画像表示方法を説明するための図である。なお、図１１において、破線は、偏光板４、５、８、位相差板６および偏光制御液晶パネル７の偏光軸の角度を示すとともに、矢印は、透過光の偏光軸の角度を示す。次に、図３、図７、図１０および図１１を参照して、本発明の一実施形態による表示パネル３の縦向き配置時における立体画像表示方法について説明する。
【００４１】
まず、バックライト２（図３参照）から照射された光は、図１１に示すように、偏光板４により、観察者２０（図３参照）側から見て約１３５°の偏光軸を有する光のみを透過する。また、偏光板４を出射した光は、表示パネル３のドット領域３ａ〜３ｃおよび３ｅ〜３ｇに入射する。この場合、図７に示すように、ドット領域３ａ〜３ｃおよび３ｅ〜３ｇのうちのハッチング（斜線）領域には、左目用画像Ｌ１が表示されているとともに、ドット領域３ａ〜３ｃおよび３ｅ〜３ｇのうちの非ハッチング領域には、右目用画像Ｒ１が表示されている。また、表示パネル３に入射した光は、図１１に示すように、表示パネル３により偏光軸が９０°変化した状態で出射される。すなわち、表示パネル３を透過した光は、偏光軸が約４５°の偏光軸を有する。そして、表示パネル３を出射した光は、約４５°の偏光軸を有する偏光板５を透過する。また、偏光板５を透過した光は、位相差板６の偏光制御領域６ａまたは６ｂに入射する。
【００４２】
また、本実施形態では、位相差板６に入射する光は観察者２０（図３参照）側から見て約４５°の偏光軸を有しているので、図１１に示すように、位相差板６の偏光制御領域６ａに入射した光は、偏光制御領域６ａの約７５°の偏光軸に対して線対称の偏光軸に変化されて透過する。すなわち、偏光制御領域６ａを出射した光は、約１０５°の偏光軸を有する。なお、位相差板６の偏光制御領域６ａを出射した光は、本発明の「第１の偏光軸を有する光」の一例である。そして、位相差板６の偏光制御領域６ａを出射した光は、偏光制御液晶パネル７の偏光制御領域７ａおよび７ｂを透過する。この際、偏光制御液晶パネル７の偏光制御領域７ａおよび７ｂは、電極７ｃ（図１０参照）に電圧が印加されないＯＦＦ状態に制御されているので、偏光制御液晶パネル７の偏光制御領域７ａおよび７ｂは約１２０°の偏光軸を有している。したがって、偏光制御液晶パネル７の偏光制御領域７ａおよび７ｂに入射した光は、偏光制御液晶パネル７の偏光制御領域７ａおよび７ｂの約１２０°の偏光軸に対して線対称の偏光軸に変化されて透過する。すなわち、偏光制御液晶パネル７を出射した光は、約１３５°の偏光軸を有する。その後、偏光制御液晶パネル７を出射した光は、約４５°の偏光軸を有する偏光板８により遮光される。この場合、位相差板６の偏光制御領域６ａは、図３に示すように、表示パネル３の左目用画像Ｌ１が表示される領域と右目２０ｂとを結ぶ線上に配置されているので、左目用画像Ｌ１が右目２０ｂに入射するのを抑制することが可能となる。また、位相差板６の偏光制御領域６ａは、表示パネル３の右目用画像Ｒ１が表示される領域と左目２０ａとを結ぶ線上に配置されているので、右目用画像Ｒ１が左目２０ａに入射するのを抑制することが可能となる。
【００４３】
一方、位相差板６の偏光制御領域６ｂに入射した光は、図１１に示すように、位相差板６の偏光制御領域６ｂの約１５°の偏光軸に対して線対称の偏光軸に変化されて透過する。すなわち、偏光制御領域６ｂを出射した光は、約１６５°の偏光軸を有する。なお、位相差板６の偏光制御領域６ｂを出射した光は、本発明の「第２の偏光軸を有する光」の一例である。そして、位相差板６の偏光制御領域６ｂを出射した光は、偏光制御液晶パネル７の偏光制御領域７ａおよび７ｂを透過する。この際、偏光制御液晶パネル７の偏光制御領域７ａおよび７ｂは、電極７ｃ（図１０参照）に電圧が印加されないＯＦＦ状態に制御されているので、偏光制御液晶パネル７の偏光制御領域７ａおよび７ｂは約１２０°の偏光軸を有している。したがって、偏光制御液晶パネル７の偏光制御領域７ａおよび７ｂに入射した光は、偏光制御領域７ａおよび７ｂの約１２０°の偏光軸に対して線対称の偏光軸に変化されて透過する。すなわち、偏光制御液晶パネル７を出射した光は、約７５°の偏光軸を有する。その後、偏光制御液晶パネル７を出射した光は、約４５°の偏光軸に変化されて偏光板８から出射される。この場合、位相差板６の偏光制御領域６ｂは、図３に示すように、表示パネル３の左目用画像Ｌ１が表示される領域と、左目２０ａとを結ぶ線上に配置されているので、左目用画像Ｌ１を左目２０ａに入射することが可能となる。また、位相差板６の偏光制御領域６ｂは、表示パネル３の右目用画像Ｒ１が表示される領域と、右目２０ｂとを結ぶ線上に配置されているので、右目用画像Ｒ１を右目２０ｂに入射することが可能となる。
【００４４】
上記のように、縦向き配置時において、左目２０ａおよび右目２０ｂに、それぞれ、左目用画像Ｌ１および右目用画像Ｒ１が入射されることにより、観察者２０は、立体画像を見ることが可能となる。
【００４５】
（横向き配置時の立体画像表示モード）
図１２は、図１に示した本発明の一実施形態による表示パネルの横向き配置時における立体画像表示方法を説明するための図である。次に、図５、図６、図８、図１０および図１２を参照して、本発明の一実施形態による表示パネル３の縦向き配置時における立体画像表示方法について説明する。
【００４６】
まず、バックライト２（図５および図６参照）から照射された光は、図１２に示すように、偏光板４により、約１３５°の偏光軸を有する光のみを透過する。なお、横向き配置時には、縦向き配置時に比べて偏光軸が９０°ずつ回転するが、本実施形態では、簡略化のため、横向き配置時においても、縦向き配置時の偏光軸の角度をそのまま用いて説明する。また、偏光板４を出射した光は、表示パネル３のドット領域３ａ〜３ｃおよび３ｅ〜３ｇに入射する。この場合、図８に示すように、ドット領域３ａ〜３ｃおよび３ｅ〜３ｇのうちのハッチング（斜線）領域には、左目用画像Ｌ２が表示されているとともに、ドット領域３ａ〜３ｃおよび３ｅ〜３ｇのうちの非ハッチング領域には、右目用画像Ｒ２が表示されている。また、表示パネル３に入射した光は、図１２に示すように、表示パネル３により偏光軸が９０°変化した状態で出射される。すなわち、表示パネル３を透過した光は、偏光軸が観察者２０（図５および図６参照）側から見て約４５°の偏光軸を有する。そして、表示パネル３を出射した光は、約４５°の偏光軸を有する偏光板５を透過する。また、偏光板５を透過した光は、位相差板６の偏光制御領域６ａまたは６ｂに入射する。
【００４７】
また、本実施形態では、位相差板６に入射する光は観察者２０（図５参照）側から見て約４５°の偏光軸を有しているので、図１２に示すように、位相差板６の偏光制御領域６ａに入射した光は、位相差板６の偏光制御領域６ａの約７５°の偏光軸に対して線対称の偏光軸に変化されて透過する。すなわち、偏光制御領域６ａを出射した光は、約１０５°の偏光軸を有する。
【００４８】
また、横向き配置の場合には、偏光制御液晶パネル７の偏光制御領域７ａは、電極７ｃ（図１０参照）に電圧を印加しないＯＦＦ状態に制御されているので、偏光制御液晶パネル７の偏光制御領域７ａの約１２０°の偏光軸は有効になる。これにより、位相差板６の偏光制御領域６ａを出射して偏光制御液晶パネル７の偏光制御領域７ａに入射した光は、偏光制御液晶パネル７の偏光制御領域７ａの約１２０°の偏光軸に対して線対称の偏光軸に変化されて透過する。すなわち、位相差板６の偏光制御領域６ａを出射して偏光制御領域７ａを出射した光は、約１３５°の偏光軸を有する。なお、位相差板６の偏光制御領域６ａを出射して偏光制御液晶パネル７の偏光制御領域７ａを出射した光は、本発明の「第３の偏光軸を有する光」の一例である。そして、偏光制御液晶パネル７の偏光制御領域７ａを出射した光は、約４５°の偏光軸を有する偏光板８により遮光される。この場合、図５および図６に示すように、両方を通過した光が遮光される位相差板６の偏光制御領域６ａおよび偏光制御液晶パネル７の偏光制御領域７ａは、左目２０ａと、表示パネル３の右目用画像Ｒ２の半分の表示領域（図５の場合は、右目用画像Ｒ２の右側の表示領域ＸＲであり、図６の場合は、右目用画像Ｒ２の左側の表示領域ＸＬ）とを結ぶ線上に配置されているので、右目用画像Ｒ２の半分が左目２０ａに入射するのを抑制することが可能となる。また、両方を通過した光が遮光される位相差板６の偏光制御領域６ａおよび偏光制御液晶パネル７の偏光制御領域７ａは、右目２０ｂと、表示パネル３の左目用画像Ｌ２の半分の表示領域（図５の場合は、左目用画像Ｌ２の左側の表示領域ＹＬであり、図６の場合は、左目用画像Ｌ２の右側の表示領域ＹＲ）とを結ぶ線上に配置されているので、左目用画像Ｌ２の半分が右目２０ｂに入射するのを抑制することが可能となる。
【００４９】
一方、偏光制御液晶パネル７の偏光制御領域７ｂは、横向き配置時には、電極７ｃ（図１０参照）に電圧を印加するＯＮ状態に制御されているので、偏光制御液晶パネル７の偏光制御領域７ｂの偏光軸は無効になる。したがって、位相差板６の偏光制御領域６ａを出射して偏光制御液晶パネル７の偏光制御領域７ｂに入射した光は、図１２に示すように、偏光軸を変化されることなく出射される。すなわち、位相差板６の偏光制御領域６ａを出射して偏光制御液晶パネル７の偏光制御領域７ｂから出射された光は、観察者２０（図５参照）側から見て約１０５°の偏光軸を有する。なお、位相差板６の偏光制御領域６ａを出射して偏光制御液晶パネル７の偏光制御領域７ｂを出射した光は、本発明の「第４の偏光軸を有する光」の一例である。その後、偏光制御液晶パネル７を出射した光は、約４５°の偏光軸に変化されて偏光板８から出射される。この場合、図５および図６に示すように、位相差板６の偏光制御領域６ａおよび偏光制御液晶パネル７の偏光制御領域７ｂは、右目２０ｂと、表示パネル３の右目用画像Ｒ２の半分の表示領域（図５の場合は、右目用画像Ｒ２の右側の表示領域ＸＲであり、図６の場合は、右目用画像Ｒ２の左側の表示領域ＸＬ）とを結ぶ線上に配置されているので、右目用画像Ｒ２の半分を右目２０ｂに入射することが可能となる。また、位相差板６の偏光制御領域６ａおよび偏光制御液晶パネル７の偏光制御領域７ｂは、左目２０ａと、表示パネル３の左目用画像Ｌ２の半分の表示領域（図５の場合は、左目用画像Ｌ２の左側の表示領域ＹＬであり、図６の場合は、左目用画像Ｌ２の右側の表示領域ＹＲ）とを結ぶ線上に配置されているので、左目用画像Ｌ２の半分を左目２０ａに入射することが可能となる。
【００５０】
また、本実施形態では、位相差板６に入射する光は観察者２０（図５参照）側から見て約４５°の偏光軸を有しているので、図１２に示すように、位相差板６の偏光制御領域６ｂに入射した光は、位相差板６の偏光制御領域６ｂの約１５°の偏光軸に対して線対称の偏光軸に変化されて透過する。すなわち、偏光制御領域６ｂを出射した光は、約１６５°の偏光軸を有する。
【００５１】
また、横向き配置の場合には、偏光制御液晶パネル７の偏光制御領域７ａは、電極７ｃ（図１０参照）に電圧を印加しないＯＦＦ状態に制御されているので、偏光制御液晶パネル７の偏光制御領域７ａの約１２０°の偏光軸は有効になる。これにより、位相差板６の偏光制御領域６ｂを出射して偏光制御液晶パネル７の偏光制御領域７ａに入射した光は、偏光制御液晶パネル７の偏光制御領域７ａの約１２０°の偏光軸に対して線対称の偏光軸に変化されて透過する。すなわち、位相差板６の偏光制御領域６ｂを出射して偏光制御領域７ａを出射した光は、約７５°の偏光軸を有する。なお、位相差板６の偏光制御領域６ｂを出射して偏光制御液晶パネル７の偏光制御領域７ａを出射した光は、本発明の「第５の偏光軸を有する光」の一例である。その後、偏光制御液晶パネル７を出射した光は、観察者２０（図５参照）側から見て約４５°の偏光軸に変化されて偏光板８から出射される。この場合、図５および図６に示すように、位相差板６の偏光制御領域６ｂおよび偏光制御液晶パネル７の偏光制御領域７ａは、左目２０ａと、表示パネル３の右目用画像Ｒ２の半分の表示領域（図５の場合は、右目用画像Ｒ２の左側の表示領域ＸＬであり、図６の場合は、右目用画像Ｒ２の右側の表示領域ＸＲ）とを結ぶ線上に配置されているので、右目用画像Ｒ２の半分が左目２０ａに入射する。また、位相差板６の偏光制御領域６ｂおよび偏光制御液晶パネル７の偏光制御領域７ａは、右目２０ｂと、表示パネル３の左目用画像Ｌ２の半分の表示領域（図５の場合は、左目用画像Ｌ２の右側の表示領域ＹＲであり、図６の場合は、左目用画像Ｌ２の左側の表示領域ＹＬ）とを結ぶ線上に配置されているので、左目用画像Ｌ２の半分が右目２０ｂに入射する。
【００５２】
一方、偏光制御液晶パネル７の偏光制御領域７ｂは、横向き配置時には、電極７ｃ（図１０参照）に電圧を印加するＯＮ状態に制御されているので、偏光制御液晶パネル７の偏光制御領域７ｂの偏光軸は無効になる。したがって、位相差板６の偏光制御領域６ｂを出射して偏光制御液晶パネル７の偏光制御領域７ｂに入射した光は、図１２に示すように、偏光軸を変化されることなく出射される。すなわち、位相差板６の偏光制御領域６ｂを出射して偏光制御液晶パネル７の偏光制御領域７ｂから出射された光は、観察者２０（図５参照）側から見て約１６５°の偏光軸を有する。なお、位相差板６の偏光制御領域６ｂを出射して偏光制御液晶パネル７の偏光制御領域７ｂを出射した光は、本発明の「第６の偏光軸を有する光」の一例である。その後、偏光制御液晶パネル７を出射した光は、約４５°の偏光軸に変化されて偏光板８から出射される。この場合、図５および図６に示すように、位相差板６の偏光制御領域６ｂおよび偏光制御液晶パネル７の偏光制御領域７ｂは、右目２０ｂと、表示パネル３の右目用画像Ｒ２の半分の表示領域（図５の場合は、右目用画像Ｒ２の左側の表示領域ＸＬであり、図６の場合は、右目用画像Ｒ２の右側の表示領域ＸＲ）とを結ぶ線上に配置されているので、右目用画像Ｒ２の半分を右目２０ｂに入射することが可能となる。また、位相差板６の偏光制御領域６ｂおよび偏光制御液晶パネル７の偏光制御領域７ｂは、左目２０ａと、表示パネル３の左目用画像Ｌ２の半分の表示領域（図５の場合は、左目用画像Ｌ２の右側の表示領域ＹＲであり、図６の場合は、左目用画像Ｌ２の左側の表示領域ＹＬ）とを結ぶ線上に配置されているので、左目用画像Ｌ２の半分を左目２０ａに入射することが可能となる。
【００５３】
上記のように、横向き配置時において、左目２０ａおよび右目２０ｂに、それぞれ、左目用画像Ｌ２および右目用画像Ｒ２が入射されることにより、観察者２０は、立体画像を見ることが可能となる。
【００５４】
（縦向き配置時の平面画像表示モード）
図１３は、図１に示した本発明の一実施形態による表示パネルを縦向きに配置した場合の平面画像表示時において観察者が表示パネルを見た状態を上方から示した図である。図１４は、図１に示した本発明の一実施形態による表示パネルの縦向き配置および横向き配置時における平面画像表示方法を説明するための図である。次に、図１３および図１４を参照して、本発明の一実施形態による表示パネル３の縦向き配置時における平面画像表示方法について説明する。
【００５５】
まず、バックライト２（図１３参照）から照射された光は、図１４に示すように、偏光板４により、観察者２０（図１３参照）側から見て約１３５°の偏光軸を有する光のみを透過する。また、偏光板４を出射した光は、表示パネル３に入射する。この場合、図１３に示すように、表示パネル３には、平面画像Ｓ１が表示されている。また、表示パネル３に入射した光は、図１４に示すように、表示パネル３により偏光軸が９０°変化した状態で出射される。すなわち、表示パネル３を透過した光は、偏光軸が約４５°の偏光軸を有する。そして、表示パネル３を出射した光は、約４５°の偏光軸を有する偏光板５を透過する。また、偏光板５を透過した光は、位相差板６の偏光制御領域６ａまたは６ｂに入射する。
【００５６】
また、本実施形態では、位相差板６に入射する光は観察者２０（図１３参照）側から見て約４５°の偏光軸を有しているので、図１４に示すように、位相差板６の偏光制御領域６ａに入射した光は、位相差板６の偏光制御領域６ａの約７５°の偏光軸に対して線対称の偏光軸に変化されて透過する。すなわち、偏光制御領域６ａを出射した光は、約１０５°の偏光軸を有する。また、偏光制御液晶パネル７は、ＯＮ状態に制御されるので、偏光制御液晶パネル７の偏光軸は無効になる。これにより、偏光制御液晶パネル７の偏光制御領域７ａおよび７ｂに入射した光は、偏光軸が変化されることなく偏光制御液晶パネル７から出射される。すなわち、偏光制御液晶パネル７を出射した光は、約１０５°の偏光軸を有する。その後、偏光制御液晶パネル７を出射した光は、約４５°の偏光軸に変化されて偏光板８から出射される。この偏光制御領域６ａを介して偏光板８から出射された光により、偏光制御領域６ａに対応する表示パネル３の平面画像Ｓ１が左目２０ａおよび右目２０ｂに入射される。
【００５７】
一方、位相差板６の偏光制御領域６ｂに入射した光は、図１４に示すように、位相差板６の偏光制御領域６ｂの約１５°の偏光軸に対して線対称の偏光軸に変化されて透過する。すなわち、偏光制御領域６ｂを出射した光は、観察者２０（図１３参照）側から見て約１６５°の偏光軸を有する。また、偏光制御液晶パネル７は、ＯＮ状態に制御されるので、偏光制御液晶パネル７の偏光軸は無効になる。これにより、偏光制御液晶パネル７の偏光制御領域７ａおよび７ｂを出射した光は、偏光軸が変化されることなく偏光制御液晶パネル７から出射される。すなわち、偏光制御液晶パネル７を出射した光は、約１６５°の偏光軸を有する。その後、偏光制御液晶パネル７を出射した光は、約４５°の偏光軸に変化されて偏光板８から出射される。この偏光制御領域６ｂを介して偏光板８から出射された光により、偏光制御領域６ｂに対応する表示パネル３の平面画像Ｓ１が左目２０ａおよび右目２０ｂに入射される。
【００５８】
上記のように、左目２０ａおよび右目２０ｂに平面画像Ｓ１が入射されることにより、観察者２０は平面画像を見ることが可能となる。
【００５９】
（横向き配置時の平面画像表示モード）
図１５は、図１に示した本発明の一実施形態による表示パネルを横向きに配置した場合の平面画像表示時において観察者が表示パネルを見た状態を上方から示した図である。次に、図１４および図１５を参照して、本発明の一実施形態による表示パネル３の横向き配置時における平面画像表示方法について説明する。
【００６０】
まず、バックライト２（図１５参照）から照射された光は、図１４に示すように、偏光板４により、観察者２０（図１５参照）側から見て約１３５°の偏光軸を有する光のみを透過する。また、偏光板４を出射した光は、表示パネル３に入射する。この場合、図１５に示すように、表示パネル３には、平面画像Ｓ２が表示されている。また、表示パネル３に入射した光は、図１４に示すように、表示パネル３により偏光軸が９０°変化した状態で出射される。すなわち、表示パネル３を透過した光は、偏光軸が約４５°の偏光軸を有する。そして、表示パネル３を出射した光は、約４５°の偏光軸を有する偏光板５を透過する。また、偏光板５を透過した光は、位相差板６の偏光制御領域６ａまたは６ｂに入射する。
【００６１】
また、本実施形態では、位相差板６に入射する光は観察者２０（図１５参照）側から見て約４５°の偏光軸を有しているので、図１４に示すように、位相差板６の偏光制御領域６ａに入射した光は、位相差板６の偏光制御領域６ａの約７５°の偏光軸に対して線対称の偏光軸に変化されて透過する。すなわち、偏光制御領域６ａを出射した光は、約１０５°の偏光軸を有する。また、偏光制御液晶パネル７は、ＯＮ状態に制御されるので、偏光制御液晶パネル７の偏光軸は無効になる。これにより、偏光制御液晶パネル７の偏光制御領域７ａおよび７ｂに入射した光は、偏光軸が変化されることなく偏光制御液晶パネル７から出射される。すなわち、偏光制御液晶パネル７を出射した光は、約１０５°の偏光軸を有する。その後、偏光制御液晶パネル７を出射した光は、約４５°の偏光軸に変化されて偏光板８から出射される。この偏光制御領域６ａを介して偏光板８から出射された光により、偏光制御領域６ａに対応する表示パネル３の平面画像Ｓ２が左目２０ａおよび右目２０ｂに入射される。
【００６２】
一方、位相差板６の偏光制御領域６ｂに入射した光は、図１４に示すように、位相差板６の偏光制御領域６ｂの約１５°の偏光軸に対して線対称の偏光軸に変化されて透過する。すなわち、偏光制御領域６ｂを出射した光は、観察者２０（図１５参照）側から見て約１６５°の偏光軸を有する。また、偏光制御液晶パネル７は、ＯＮ状態に制御されるので、偏光制御液晶パネル７の偏光軸は無効になる。これにより、偏光制御液晶パネル７の偏光制御領域７ａおよび７ｂを出射した光は、偏光軸が変化されることなく偏光制御液晶パネル７から出射される。すなわち、偏光制御液晶パネル７を出射した光は、約１６５°の偏光軸を有する。その後、偏光制御液晶パネル７を出射した光は、約４５°の偏光軸に変化されて偏光板８から出射される。この偏光制御領域６ｂを介して偏光板８から出射された光により、偏光制御領域６ｂに対応する表示パネル３の平面画像Ｓ２が左目２０ａおよび右目２０ｂに入射される。
【００６３】
上記のように、左目２０ａおよび右目２０ｂに平面画像Ｓ２が入射されることにより、観察者２０は平面画像を見ることが可能となる。
【００６４】
（本実施形態の効果）
本実施形態では、上記のように、位相差板６と偏光制御液晶パネル７とを設けるとともに、表示パネル３が縦向きに配置された状態で、位相差板６の偏光制御領域６ｂを透過した光により、左目用画像Ｌ１および右目用画像Ｒ１をそれぞれ左目２０ａおよび右目２０ｂに入射することにより観察者２０に立体画像を提供し、かつ、表示パネル３が横向きに配置された状態で、偏光制御液晶パネル７の偏光制御領域７ｂを透過した光により、左目用画像Ｌ２および右目用画像Ｒ２をそれぞれ左目２０ａおよび右目２０ｂに入射することにより観察者２０に立体画像を提供することによって、表示パネル３を縦向きに配置した場合および横向きに配置した場合の両方の場合に、観察者２０に立体画像を提供することができる。
【００６５】
また、本実施形態では、位相差板６に、複数の偏光制御領域６ａおよび６ｂを設けるとともに、複数の偏光制御領域６ａおよび６ｂを、表示パネル３が縦向きに配置された状態で、図７のＡ方向およびＢ方向の両方に対して交差する斜め方向であるＣ方向に沿った市松状（階段状）に配置することによって、Ｃ方向（斜め方向）に延びる市松状に配置された複数の偏光制御領域６ａおよび６ｂにより、偏光制御領域６ｂを透過した光を縦方向および横方向にほぼ均等に分散した状態で左目２０ａおよび右目２０ｂに向かって進行させることができるので、表示パネル３の左目用画像Ｌ１および右目用画像Ｒ１の解像度の低下を縦方向と横方向とに分散することができる。これにより、画像劣化の少ない立体画像を観察者２０に提供することができる。
【００６６】
また、本実施形態では、位相差板６の偏光制御領域６ａおよび６ｂを、それぞれ、表示パネル３の各々のドット領域３ａ〜３ｃおよび３ｅ〜３ｇ毎に配置することによって、ドット領域３ａ〜３ｃおよび３ｅ〜３ｇ毎に設けられた偏光制御領域６ａおよび６ｂにより、表示パネル３の左目用画像Ｌ１および右目用画像Ｒ１を細分化した状態で左目２０ａおよび右目２０ｂに入射させることができる。これにより、より画像劣化の少ない立体画像を観察者２０に提供することができる。
【００６７】
また、本実施形態では、表示パネル３に、光の３原色をそれぞれ表示するためのドット領域３ａ〜３ｃおよび３ｅ〜３ｇを設けるとともに、表示パネル３の光の３原色をそれぞれ表示するためのドット領域３ａ〜３ｃおよび３ｅ〜３ｇを、表示パネル３が横向きに配置された状態で、左目２０ａおよび右目２０ｂを結んだ方向に対して実質的に垂直方向に隣接するように配置することによって、左目２０ａおよび右目２０ｂを結んだ方向に対して実質的に垂直に延びるように設けられた偏光制御領域７ａおよび７ｂに対応するように光の３原色をそれぞれ表示するためのドット領域３ａ〜３ｃおよび３ｅ〜３ｇを配置することができるので、偏光制御領域７ａおよび７ｂに所定の１原色を表示するドット領域３ａ〜３ｃおよび３ｅ〜３ｇのみを配置する場合に比べて、観察者２０に画像劣化の少ない立体画像を提供することができる。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記実施形態では、位相差板６の偏光制御領域６ａおよび６ｂをドット領域毎に対応して設けるとともに、偏光制御液晶パネル７の偏光制御領域７ａおよび７ｂの幅をドット領域の幅に対応して設けた例を示したが、本発明はこれに限らず、位相差板６の偏光制御領域６ａおよび６ｂを、たとえば、画素領域毎に対応して設けてもよいし、偏光制御液晶パネル７の偏光制御領域７ａおよび７ｂを複数のドット領域の幅に対応して設けてもよい。
【００７０】
また、上記実施形態では、位相差板６の偏光制御領域６ａおよび６ｂをＣ方向（斜め方向）に延びる市松状（階段状）に配置した例を示したが、本発明はこれに限らず、位相差板６の偏光制御領域６ａおよび６ｂを所定の方向（図９のＢ方向）に延びるように配置してもよいし、市松状（階段状）以外の斜め方向に延びるように配置してもよい。なお、上記実施形態において、複数の観察者に立体画像を提供する場合には、位相差板６の偏光制御領域６ａおよび６ｂを市松状（階段状）ではない斜め方向に延びるように配置すればよい。
【００７１】
また、上記実施形態では、偏光制御液晶パネル７の偏光制御領域７ａおよび７ｂを所定の方向に延びるように配置した例を示したが、本発明はこれに限らず、偏光制御液晶パネル７の偏光制御領域７ａおよび７ｂを、位相差板６の偏光制御領域６ａおよび６ｂのように、斜め方向に延びる市松状（階段状）に配置してもよい。
【００７２】
また、上記実施形態では、表示パネル３は、９０°ＴＮ方式を用い、表示パネル３を挟んで対向するように配置される偏光板４および５が、互いに直交する偏光軸を有する例を示したが、本発明はこれに限らず、たとえば、ＶＡ（Ｖｅｒｔｉｃａｌ  Ａｌｉｇｎｍｅｎｔ）方式およびＥＣＢ（Ｅｌｅｃｔｒｉｃａｌｌｙ  Ｃｏｎｔｒｏｌｌｅｄ  Ｂｉｒｅｆｒｉｎｇｅｎｃｅ）方式などの他の方式を用いてもよい。この場合、たとえば、ＶＡ方式を用いれば、表示パネル３を挟み込むように配置された偏光板４および５を、同じ偏光軸を有する偏光板により構成するとともに、表示パネル３、偏光板４および５の偏光軸に対応するように、画像表示装置により形成される画像に対応する光の偏光軸を設定すればよい。
【００７３】
また、上記実施形態では、偏光板４、５、８、位相差板６の偏光制御領域６ａ、６ｂおよび偏光制御液晶パネル７の偏光軸を、それぞれ、約１３５°、約４５°、約４５°、約７５°、約１５°、約１２０°に設定した例を示したが、本発明はこれに限らず、偏光板４、５、８、位相差板６の偏光制御領域６ａ、６ｂおよび偏光制御液晶パネル７の偏光軸を上記の値以外の値に設定してもよい。この場合、偏光軸を最適化することにより、表示パネルを横向きに配置した場合に、図１２に示した位相差板６の偏光制御領域６ｂを出射して、偏光制御液晶パネル７の偏光制御領域７ａおよび偏光板８を透過する光の量を低減するのが好ましい。これにより、観察者の左目に入射する右目用画像の光の量を低減するとともに、観察者の右目に入射する左目用画像の光の量を低減することが可能になる。
【００７４】
また、上記実施形態では、偏光制御液晶パネル７を、表示パネル３の厚み方向の中央部から位相差板６の観察者２０側の表面までの距離（Ｗ１）と、表示パネル３の厚み方向の中央部から偏光制御液晶パネル７の観察者２０側の表面までの距離（Ｗ２）とが、表示パネル３のドット領域３ａ〜３ｃおよび３ｅ〜３ｇの縦横比（約１：３）と同じ約１：３の比率になるように配置した例について示したが、本発明はこれに限らず、上記距離（Ｗ１）と距離（Ｗ２）とを表示パネル３のドット領域３ａ〜３ｃおよび３ｅ〜３ｇの縦横比とは異なる比率で配置してもよい。
【００７５】
また、上記実施形態では、表示パネルを縦向きおよび横向きに配置して観察者に立体画像を提供する例を示したが、上記実施形態の構成では、表示パネルを縦向きに配置した場合には、観察者の左目に右目用画像が入射するのをより抑制することができるとともに、観察者の右目に左目用画像が入射するのをより抑制することができる一方、表示パネルを横向きに配置した場合には、右目用画像の一部が観察者の左目に入射するとともに、左目用画像の一部が観察者の右目に入射するので、表示パネルを縦向きに配置するのを標準状態にして観察者に立体画像を提供するのが望ましい。
【図面の簡単な説明】
【００７６】
【図１】本発明の一実施形態による画像表示装置を示した分解斜視図である。
【図２】図１に示した本発明の一実施形態による表示パネルを縦向きに配置した場合の表示パネル、位相差板および偏光制御液晶パネルを示した図である。
【図３】図１に示した本発明の一実施形態による表示パネルを縦向きに配置した場合の立体画像表示時において観察者が表示パネルを見た状態を上方から示した図である。
【図４】図１に示した本発明の一実施形態による表示パネルを横向きに配置した場合の表示パネル、位相差板および偏光制御液晶パネルを示した図である。
【図５】図１に示した本発明の一実施形態による表示パネルを横向きに配置した場合の立体画像表示時において、観察者が表示パネルを見た状態を図４の１００−１００線に沿って上方から示した図である。
【図６】図１に示した本発明の一実施形態による表示パネルを横向きに配置した場合の立体画像表示時において、観察者が表示パネルを見た状態を図４の２００−２００線に沿って上方から示した図である。
【図７】図１に示した本発明の一実施形態による画像表示装置の表示パネルを縦向きに配置した場合の表示パネルの部分拡大図である。
【図８】図１に示した本発明の一実施形態による画像表示装置の表示パネルを横向きに配置した場合の表示パネルの部分拡大図である。
【図９】図１に示した本発明の一実施形態による画像表示装置の位相差板の部分拡大図である。
【図１０】図１に示した本発明の一実施形態による偏光制御液晶パネルの部分拡大図である。
【図１１】図１に示した本発明の一実施形態による表示パネルの縦向き配置時における立体画像表示方法を説明するための図である。
【図１２】図１に示した本発明の一実施形態による表示パネルの横向き配置時における立体画像表示方法を説明するための図である。
【図１３】図１に示した本発明の一実施形態による表示パネルを縦向きに配置した場合の平面画像表示時において観察者が表示パネルを見た状態を上方から示した図である。
【図１４】図１に示した本発明の一実施形態による表示パネルの縦向き配置および横向き配置時における平面画像表示方法を説明するための図である。
【図１５】図１に示した本発明の一実施形態による表示パネルを横向きに配置した場合の平面画像表示時において観察者が表示パネルを見た状態を上方から示した図である。
【図１６】従来の一例による立体画像表示装置の原理を説明するための平面図である。
【符号の説明】
【００７７】
１  画像表示装置
２  バックライト（光源）
３  表示パネル
３ａ〜３ｃ、３ｅ〜３ｇ  ドット領域
６  位相差板（第１偏光軸制御手段）
６ａ  偏光制御領域（第１偏光制御領域）
６ｂ  偏光制御領域（第２偏光制御領域）
７  偏光制御液晶パネル（第２偏光軸制御手段）
７ａ  偏光制御領域（第３偏光制御領域）
７ｂ  偏光制御領域（第４偏光制御領域）
７ｃ  電極
８  偏光板（第２偏光軸制御手段）
【図１】
2006337496.tif 000003
【図２】
2006337496.tif 000004
【図３】
2006337496.tif 000005
【図４】
2006337496.tif 000006
【図５】
2006337496.tif 000007
【図６】
2006337496.tif 000008
【図７】
2006337496.tif 000009
【図８】
2006337496.tif 000010
【図９】
2006337496.tif 000011
【図１０】
2006337496.tif 000012
【図１１】
2006337496.tif 000013
【図１２】
2006337496.tif 000014
【図１３】
2006337496.tif 000015
【図１４】
2006337496.tif 000016
【図１５】
2006337496.tif 000017
【図１６】
2006337496.tif 000018